(57)【要約】【課題】振動および騒音を低下させるとともに、洗濯乾燥機本体を小型化する。【解決手段】洗濯機の外郭を構成する洗濯機筐体９０と、衣類を収容する回転ドラム１と、回転ドラム１を内包し洗濯機本体１００に弾性的に支持した水槽３と、衣類を乾燥させる乾燥ユニット３０と、回転ドラム１内と乾燥ユニット３０との間で空気を循環させる循環風路３５と、循環風路３５内に空気を循環させる送風機４０とを備え、送風機４０は、弾性体保持具４４を介して洗濯機筐体９０にネジで固定され、弾性体保持具４４には、ネジを弾性体保持具４４から離間する弾性体４５を設けたことにより、送風機駆動時の振動の伝達を抑え、乾燥行程時の振動および騒音を小さくすることができると共に、送風機の配置の自由度が増え、洗濯乾燥機本体が小型化できる。【選択図】図４
2014140436.tif 000002
【特許請求の範囲】
【請求項１】
洗濯機の外郭を構成する洗濯機筐体と、衣類を収容する回転ドラムと、前記回転ドラムを内包し洗濯機本体に弾性的に支持した水槽と、衣類を乾燥させる乾燥ユニットと、前記回転ドラム内と前記乾燥ユニットとの間で空気を循環させる循環風路と、前記循環風路内に空気を循環させる送風機とを備え、前記送風機は、弾性体保持具を介して前記洗濯機筐体にネジで固定され、前記弾性体保持具には、前記ネジを前記弾性体保持具から離間する弾性体を設けたことを特徴とする洗濯乾燥機。
【請求項２】
前記弾性体を、前記洗濯機筐体に設けたことを特徴とする請求項１に記載の洗濯乾燥機。
【請求項３】
前記弾性体保持具には傾斜を有する取付部を設け、前記取付部により前記洗濯機筐体と前記送風機とを所定の角度に設定することを特徴とする請求項１または２に記載の洗濯乾燥機。
【発明の詳細な説明】
【技術分野】
【０００１】
本発明は、衣類の洗濯機能と乾燥機能とを備えた洗濯乾燥機に関するものである。
【背景技術】
【０００２】
従来、乾燥機能を有するドラム式洗濯乾燥機においては、図５に示すように、衣類を収容する回転ドラム１内へ送風機により高温低湿の空気を送風し、回転ドラム１内の衣類の乾燥を行っている。高温低湿の空気を作り出す乾燥ユニット３０として、ヒータまたは熱交換器とコンプレッサから成るヒートポンプなどが用いられる。乾燥ユニット３０は加熱器３０ａと冷却器３０ｂからなり、循環する空気を加熱、冷却することで衣類に含まれる水分を取り除く。
【０００３】
循環風路３５は、回転ドラム１と乾燥ユニット３０との間で送風機４０により空気を循環させ、乾燥ユニット３０で作り出した高温低温の空気を回転ドラム１内の湿布と接触させることで高湿の空気を作る。この高湿の空気は循環風路３５に置かれた冷却器３０ｂにて熱交換し、熱を奪うことで除湿される。除湿された空気は再び加熱器３０ａにて加温され、これら一連のサイクルにて衣類の除湿を可能とする。
【０００４】
送風機４０は、乾燥ユニット３０に取り付ける。乾燥ユニット３０や送風機４０を洗濯機本体１００の上方に配置した場合、洗濯機筐体９０の高さの寸法は大きく設計される必要がある。このため乾燥ユニット３０や送風機４０は洗濯機本体１００の下方に配置する。例えば、特許文献１には、洗濯機本体１００の下方に配置した送風機４０を用いて衣類を乾燥する洗濯乾燥機が開示されている。
【先行技術文献】
【特許文献】
【０００５】
【特許文献１】特開２００７−２１５８３３号公報
【発明の概要】
【発明が解決しようとする課題】
【０００６】
しかしながら、前記従来の構成では、送風機を乾燥ユニットに固定するので、乾燥ユニットと送風機を組み立てた後セット部品として洗濯機筐体内に収める必要が生じ、部品を配置する際に設計上の制約が増えてしまい、洗濯機筐体の小型化を図ることが難しかった。
【０００７】
また、送風機は乾燥ユニットに取り付けるのが一般的であるが、仮に洗濯機筐体に直接固定した場合、ファンで発生した振動が洗濯機筐体に伝わり、洗濯機としての振動・騒音を大きくしてしまう可能性を有していた。
【０００８】
本発明は、前記従来の課題を解決するもので、送風機駆動時の振動の伝達を抑えつつ送風機を洗濯機筐体に固定し、乾燥行程時の振動および騒音が小さい洗濯乾燥機を提供することを目的とする。
【課題を解決するための手段】
【０００９】
本発明の洗濯乾燥機は、洗濯機の外郭を構成する洗濯機筐体と、衣類を収容する回転ドラムと、前記回転ドラムを内包し洗濯機本体に弾性的に支持した水槽と、衣類を乾燥させる乾燥ユニットと、前記回転ドラム内と前記乾燥ユニットとの間で空気を循環させる循環風路と、前記循環風路内に空気を循環させる送風機とを備え、前記送風機は、弾性体保持
具を介して前記洗濯機筐体にネジで固定され、前記弾性体保持具には、前記ネジを前記弾性体保持具から離間する弾性体を設けたことを特徴としたものである。
【００１０】
これによって、弾性体を介して洗濯機筐体に送風機を固定し、送風機駆動時の振動の伝達を抑え、乾燥行程時の振動および騒音を小さくすることができると共に、送風機の配置の自由度が増え、洗濯乾燥機本体が小型化できる。
【発明の効果】
【００１１】
本発明の洗濯乾燥機は、弾性体を介して洗濯機筐体に送風機を固定することにより、振動および騒音を低下させるとともに、送風機の配置の自由度が増え、洗濯乾燥機本体が小型化できる。
【図面の簡単な説明】
【００１２】
【図１】本発明の実施の形態１に係る洗濯乾燥機の概略構成を示す側断面図
【図２】同、洗濯乾燥機の後方からの斜視図
【図３】同、洗濯乾燥機における送風機の斜視図
【図４】同、洗濯乾燥機における送風機の概略構成を示す側断面図
【図５】従来の洗濯乾燥機の側断面図
【発明を実施するための形態】
【００１３】
第１の発明は、洗濯機の外郭を構成する洗濯機筐体と、衣類を収容する回転ドラムと、前記回転ドラムを内包し洗濯機本体に弾性的に支持した水槽と、衣類を乾燥させる乾燥ユニットと、前記回転ドラム内と前記乾燥ユニットとの間で空気を循環させる循環風路と、前記循環風路内に空気を循環させる送風機とを備え、前記送風機は、弾性体保持具を介して前記洗濯機筐体にネジで固定され、前記弾性体保持具には、前記ネジを前記弾性体保持具から離間する弾性体を設けたことにより、弾性体を介して洗濯機筐体に送風機を固定し、送風機駆動時の振動の伝達を抑え、乾燥行程時の振動および騒音を小さくすることができると共に、送風機の配置の自由度が増え、洗濯乾燥機本体が小型化できる。
【００１４】
第２の発明は、特に、第１の発明の弾性体を、前記洗濯機筐体に設けたことにより、簡単な構成で、弾性体を介して洗濯機筐体に送風機を固定し、送風機駆動時の振動の伝達を抑え、乾燥行程時の振動および騒音を小さくすることができると共に、送風機の配置の自由度が増え、洗濯乾燥機本体が小型化できる。
【００１５】
第３の発明は、特に、第１または第１の発明の弾性体保持具には、傾斜を有する取付部を設け、前記取付部により前記洗濯機筐体と前記送風機とを所定の角度に設定することにより、送風機を確実に固定しながら洗濯乾燥機本体を小型化することができる。
【００１６】
以下、本発明の実施の形態に係るドラム式洗濯乾燥機について、添付図面を参照しながら説明する。従来例と同様の場合には、同じ符号を用いて説明する。なお、以下の実施の形態は、発明を具体化した一例であって、本発明の技術的範囲を限定するものではない。
【００１７】
（実施の形態１）
図１は本発明の実施の形態１におけるドラム式洗濯機の側断面図、図２は後方からの斜視図である。
【００１８】
図１に示すように、回転ドラム１は、有底円筒形に形成し外周部に多数の通水孔２を全面に設け、水槽３内に回転自在に配設している。回転ドラム１の回転中心に傾斜方向に回転軸４を設け、回転ドラム１の軸心方向を正面側から背面側に向けて下向きに傾斜させて配設している。この回転軸４に、水槽３の背面に取り付けた駆動手段５を連結し、回転ド
ラム１を正転、逆転方向に回転駆動する。
【００１９】
回転ドラム１の内壁面には、衣類撹拌用の複数個の突起板６を設けている。
【００２０】
水槽３の正面側の上向き傾斜面に設けた開口部を蓋体７により開閉自在に覆い、この蓋体７を開くことにより衣類出入口８を通して回転ドラム１内に洗濯物を出し入れできるようにしている。
【００２１】
水槽３は洗濯機本体１００下方の防振部材９等により揺動可能に防振支持され、水槽３の下部に排水経路１０の一端を接続し、排水経路１０の他端を排水弁１１に接続して水槽３内の洗濯水を排水するようにしている。給水弁１２は給水経路１３を通して水槽３内に水を給水するものである。制御手段５０は洗濯機本体１００の中に配置されており、駆動手段５、乾燥ユニット３０、送風機４０等を制御している。
【００２２】
なお、本実施の形態では、回転ドラム１の回転中心に傾斜方向に回転軸４を設け、回転ドラム１の軸心方向を正面側から背面側に向けて下向きに傾斜させて配設しているが、水平方向に配設してもよい。
【００２３】
駆動手段５は、直流ブラシレスモータ等で構成され、制御手段５０およびモータ駆動回路等により正逆回転、および回転数可変に制御されると共に、電流検知回路からの信号により、駆動手段５に加わる負荷即ち洗濯物の量を検知する。
【００２４】
本実施形態のドラム式洗濯乾燥機は制御手段５０を備えており、入力部１４からの運転設定情報と各種センサからの情報に基づき、洗濯、すすぎ、脱水、乾燥にわたる一連の運転動作を制御している。
【００２５】
衣類の乾燥には乾燥ユニット３０を用い、循環風路３５、送風機４０、回転ドラム１、水槽３、乾燥ユニット３０とで高温の空気を循環させて衣類を乾燥させる。循環風路３５は回転ドラム１と乾燥ユニット３０との間で空気を循環させる風路である。送風機４０が駆動されると、循環風路３５内に送風され、送風された空気は、乾燥ユニット３０で加熱され、高温の空気となり、風路３５ｂを通って回転ドラム１内に排気される。排気された高温の空気は湿った衣類を乾燥させ、湿り空気となって、通水孔２を通って水槽３内に入り、風路３５ａを通って、乾燥ユニット３０に入り、冷却されて除湿された後、再び乾燥ユニット３０にて加熱され、回転ドラム１の内部へ排気される。これを繰り返すことにより、衣類の乾燥を行う。
【００２６】
図３は本発明の実施の形態１の洗濯乾燥機における送風機４０の斜視図、図４は、同、洗濯乾燥機における送風機の概略構成を示す側断面図である。
【００２７】
送風機４０は、送風機４０の外郭４１の中にファン４２を設け、このファンはファン駆動手段４３で回転させることで、送風を行う。送風機４０は洗濯機筐体９０の下部からなる台枠９１に固定する。洗濯機筐体９０および台枠９１は、本実施の形態においては、別部品として例示するが、一体的に形成されていても良い。送風機４０には、台枠９１に固定するための弾性体保持具４４を設けており、ネジ４６により、送風機４０と弾性体保持具４４は固定される。弾性体保持具４４には、弾性体４５を設けており、弾性体保持具４４を外郭４１に固定する際、ネジ４６を弾性体保持具４４から離間するよう作用する。弾性体４５は、ブチルゴム、シリコンゴムなどの弾性体からなり、防振材として作用する。
【００２８】
弾性体保持具４４は、弾性体４５の外周側面等にてこれを保持し、弾性体４５と外郭４１とをネジ４６で固定する際にネジ４６を弾性体保持具４４に接触させずに離間して固定
する。
【００２９】
送風機４０は、弾性体保持具４４を介して台枠９１乃至洗濯機筐体９０に固定される。この弾性体保持具４４を台枠９１乃至洗濯機筐体９０に固定する際には、ネジ４６とは異なるネジ４７を用いる。
【００３０】
これにより、ファン４２が回転するときに発生する振動は送風機４０の外郭４１、ネジ４６までは到達するが、弾性体４５にてこの振動を吸収され、弾性体保持具４４への振動の伝達が抑制される。従って、弾性体保持具４４を介して、台枠９１および洗濯機筐体９０への振動の伝達が抑制され、振動・騒音を防止しながら送風機を洗濯機筐体に確実に固定することができる。
【００３１】
弾性体保持具４４には、傾斜を有する取付部４８を有しており、この取付部４８により洗濯機筐体９０と送風機４０とを所定の角度に設定することができる。例えば、図４においては、ファン４２のファン回転軸４９が、洗濯機本体１００の後方へ傾斜するように固定されている。
【００３２】
なお、本実施の形態では弾性体保持具４４に弾性体４５を設けて洗濯機筐体９０に固定しているが、弾性体４５を洗濯機筐体９０に設けて固定してもよい。
【００３３】
また本実施の形態では送風機の外郭４１を弾性体４５を介して弾性体保持具４４に固定しているが、ネジ４６を使わない他の方法を用いて固定してもよい。
【００３４】
また本実施の形態では、乾燥ユニット３０を洗濯機本体１００の下部に設置した構成を例示しているが、乾燥ユニット３０を洗濯機本体１００の上部に設置した場合にも、送風機を同様の構成で洗濯機筐体に固定すれば、同様の効果が得られるものである。
【００３５】
また本実施の形態では、送風機４０を洗濯機筐体９０に対して斜めに配置した場合を例示したが、送風機４０を洗濯機筐体９０に対して水平または直角に配置した場合にも、送風機を同様の構成で洗濯機筐体に固定すれば、同様の効果が得られるものである。
【産業上の利用可能性】
【００３６】
以上のように、本発明にかかる洗濯乾燥機は、振動および騒音を低下させるとともに、送風機の配置の自由度が増え、洗濯乾燥機本体が小型化できるので、乾燥機能を有する衣類処理装置等の用途に適用できる。
【符号の説明】
【００３７】
１  回転ドラム
３  水槽
３０  乾燥ユニット
３５  循環風路
４０  送風機
４４  弾性体保持具
４５  弾性体
４６、４７  ネジ
４８  取付部
９０  洗濯機筐体
１００  洗濯機本体
【図１】
2014140436.tif 000003
【図２】
2014140436.tif 000004
【図３】
2014140436.tif 000005
【図４】
2014140436.tif 000006
【図５】
2014140436.tif 000007